(57)【特許請求の範囲】
【請求項１】
画像を記録媒体に形成する画像形成部と、
前記画像形成部により画像を形成するときに使用される画像形成条件が記憶される記憶部と、
表示部と、
制御部と、
を備える画像形成装置であって、
前記制御部は、
前記画像形成部による画像データに係る画像の印刷指示を受け付ける印刷指示受付処理と、
前記印刷指示受付処理前に該画像データを前記画像形成部によって印刷した際の画像形成条件である第１条件が前記記憶部又は外部の記憶部に記憶されているかどうかを確認する存在確認処理と、
前記存在確認処理によって前記第１条件が前記記憶部又は前記外部の記憶部に記憶されていることが確認された場合、前記印刷指示受付処理時に該画像形成装置の設定として前記記憶部に記憶されている前記画像形成条件である第２条件と前記第１条件とを比較し、前記第１条件と前記第２条件とが同一であるか否かを判断する判断処理と、
前記判断処理によって前記第１条件と前記第２条件とが同一でないと判断された場合は、前記印刷指示受付処理前の該画像データの印刷時に用いられた画像形成条件と前記印刷指示受付処理による印刷時の画像形成条件とが異なる旨を前記表示部に表示させる表示処理と、
を有する、
画像形成装置。
【請求項２】
請求項１に記載の画像形成装置であって、
前記制御部は、
更に、
前記存在確認処理によって、前記第１条件が前記記憶部又は前記外部の記憶部に記憶されていないことが確認された場合であって、該画像データに係る画像が前記画像形成部によって形成される場合、該形成に係る前記第２条件を前記第１条件として前記記憶部又は前記外部の記憶部に記憶させる第１条件記憶処理、
を有する、
画像形成装置。
【請求項３】
請求項１又は２に記載の画像形成装置であって、
前記画像形成装置は、ネットワークを介してサーバに接続されており、
前記画像データ及び前記第１条件は、前記サーバが備える記憶部に記憶されており、
前記制御部は、
更に、
前記画像データ及び前記第１条件を、前記サーバが備える記憶部から読み込むサーバデータ読込処理、
を備える、
画像形成装置。
【請求項４】
請求項１〜３のいずれか一項に記載の画像形成装置であって、
前記制御部は、
前記表示処理において、
前記判断処理により、前記第１条件と前記第２条件とが同一でないと判断された場合、前記第１条件と前記第２条件との不一致項目、並びに、該不一致項目において前記第１条件に設定されている条件及び前記第２条件に設定されている条件を前記表示部に表示する、
画像形成装置。
【請求項５】
請求項１〜４のいずれか一項に記載の画像形成装置であって、
更に、
操作部
を備え、
前記制御部は、
更に、
前記操作部を介して、前記第１条件及び前記第２条件のいずれを用いて、前記画像データに係る画像を前記画像形成部に形成させるかの選択を受け付ける条件選択受付処理
を有し、
前記印刷指示受付処理により、前記印刷指示が受け付けられ、かつ、前記条件選択受付処理により、前記第１条件を用いて、前記画像データに係る画像を前記画像形成部に形成させる選択が受け付けられた場合、前記第１条件を用いて、前記画像データに係る画像を前記画像形成部に形成させ、
前記印刷指示受付処理により、前記印刷指示が受け付けられ、かつ、前記条件選択受付処理により、前記第２条件を用いて、前記画像データに係る画像を前記画像形成部に形成させる選択が受け付けられた場合、前記第２条件を用いて、前記画像データに係る画像を前記画像形成部に形成させる、
画像形成装置。
【請求項６】
請求項５に記載の画像形成装置であって、
前記制御部は、
更に、
前記判断処理における前記第１条件と前記第２条件との比較の結果、前記第２条件の１つ以上の項目が、前記第１条件において設定されていないと判断された場合、前記操作部により、該項目に対する画像形成条件の入力を受け付ける項目設定受付処理、
を有する、
画像形成装置。
【請求項７】
請求項５又は６に記載の画像形成装置であって、
前記制御部は、
更に、
前記判断処理における前記第１条件と前記第２条件との比較の結果、前記第１条件の１つ以上の項目が前記第２条件で設定されていないと判断された場合に、該項目が前記第２条件で設定可能であるか否かを判断し、設定不可能である場合、前記画像形成部による画像形成に該項目の画像形成条件が適用されない旨を、前記表示部に表示させ、前記操作部により、該画像形成を実行するか否かの選択を受け付ける実行選択受付処理、
を有する、
画像形成装置。
【請求項８】
請求項１〜７のいずれか一項に記載の画像形成装置であって、
前記制御部は、
更に、
前記第１条件を、前記第２条件として、前記記憶部に記憶させる記憶処理と、
前記記憶処理を実行するか否かの選択を受け付ける選択処理と、
を有し、
前記第１条件を用いて前記画像データに係る画像を前記画像形成部に形成させる場合に、前記選択処理により、前記記憶処理を実行する選択が受け付けられたときは、前記記憶処理を実行し、
前記第１条件を用いて前記画像データに係る画像を前記画像形成部に形成させる場合に、前記選択処理により、前記記憶処理を実行しない選択が受け付けられたときは、前記記憶処理を実行しない、
画像形成装置。
【請求項９】
請求項１〜８のいずれか一項に記載の画像形成装置であって、
前記制御部は、
更に、
前記画像データに係る画像が前記画像形成部によって形成された場合、その日時の情報を最終印刷日時として前記記憶部又は前記外部の記憶部に記憶させる日時記憶処理と、
前記判断処理により、前記第１条件と前記第２条件とが同一でないと判断された場合、前記記憶部又は前記外部の記憶部に記憶されている最終印刷日時を、前記表示部に表示させる日時表示処理と、
を有する、
画像形成装置。
【請求項１０】
請求項１〜９のいずれか一項に記載の画像形成装置であって、
前記記憶部又は前記外部の記憶部には、前記画像データに対する１つ以上の前記第１条件が記憶されている、
画像形成装置。
【発明の詳細な説明】
【技術分野】
【０００１】
本発明は、画像形成装置に関する。
【背景技術】
【０００２】
従来、画像形成条件に従って画像形成（印刷）を行う画像形成装置がある。画像形成条件には、例えば、片面印刷又は両面印刷の指定、余白などのレイアウト指定、４イン１などの集約印刷の指定、用紙サイズ、普通紙、厚紙等の用紙タイプ、給紙トレイの指定、モノクロ印刷又はカラー印刷の指定、解像度の指定などがある。
【０００３】
例えば、特許文献１には、情報処理装置、画像形成装置及びこれらと通信するプリントサーバからなるプリントシステムが記載されている。プリントサーバは、その印刷ジョブに対する印刷設定情報（画像形成条件）の変更指示を画像形成装置から受信し、印刷設定情報を更新している。
【先行技術文献】
【特許文献】
【０００４】
【特許文献１】特開２０１２−９４１１３号公報
【発明の概要】
【発明が解決しようとする課題】
【０００５】
画像形成装置は、複数の使用者により使用され、様々な印刷設定情報の元で用紙に画像形成が実行される。したがって、ある使用者がある印刷設定情報の元で優先的に画像形成装置を使用していた場合、たまたま、他の使用者により画像形成装置の印刷設定情報が変更される。すると、再び、ある使用者が画像形成装置を使用すると、印刷設定情報が変更されたことに気づかず、使用者が予期しない画像形成条件で画像形成が行われることがあった。
【０００６】
本発明の目的は、予期しない画像形成条件で画像形成が行われることを抑制できる、画像形成装置を提供することである。
【課題を解決するための手段】
【０００７】
前記の目的を達成するため、本発明の一の局面に係る画像形成装置は、画像を記録媒体に形成する画像形成部と、画像形成部により画像を形成するときに使用される画像形成条件が記憶される記憶部と、表示部と、制御部とを備え、制御部は、画像形成部による画像データに係る画像の印刷指示を受け付ける印刷指示受付処理と、印刷指示受付処理前に該画像データを画像形成部によって印刷した際の画像形成条件である第１条件が記憶部又は外部の記憶部に記憶されているかどうかを確認する存在確認処理と、存在確認処理によって第１条件が記憶部又は外部の記憶部に記憶されていることが確認された場合、印刷指示受付処理時に該画像形成装置の設定として記憶部に記憶されている画像形成条件である第２条件と第１条件とを比較し、第１条件と第２条件とが同一であるか否かを判断する判断処理と、判断処理によって第１条件と第２条件とが同一でないと判断された場合は、印刷指示受付処理前の該画像データの印刷時に用いられた画像形成条件と印刷指示受付処理による印刷時の画像形成条件とが異なる旨を表示部に表示させる表示処理とを有する。
【０００８】
この構成によれば、印刷指示受付処理により印刷指示が受け付けられる。また、存在確認処理により、印刷指示受付処理前に該画像データを前記画像形成部によって印刷した際の画像形成条件（第１条件）が記憶部又は外部の記憶部に記憶されているかどうかが確認される。そして、第１条件が記憶部又は外部の記憶部に記憶されている場合、第１条件と印刷指示受付処理時に該画像形成装置の設定として記憶部に記憶されている画像形成条件（第２条件）とが同一でないときは、第１条件と第２条件とが異なる旨が表示部に表示される。
【０００９】
その結果、使用者は、画像形成に使用される画像形成条件を認識することができるため、予期しない画像形成条件で画像形成が行われることを抑制できる。
【００１０】
制御部は、更に、存在確認処理によって、第１条件が記憶部又は外部の記憶部に記憶されていないことが確認された場合であって、該画像データに係る画像が画像形成部によって形成される場合、該形成に係る第２条件を第１条件として記憶部又は外部の記憶部に記憶させる第１条件記憶処理を有していてもよい。
【００１１】
第１条件がまだ記憶されていない画像データに係る画像を形成する場合、その画像データに係る画像が形成されるときの第２条件がその画像データの第１条件として、記憶部又は外部の記憶部に記憶される。
【００１２】
そのため、その画像データに係るその後の画像形成においては、画像データの第１条件が記憶部又は外部の記憶部に記憶されている。
【００１３】
その結果、第１条件を記憶させるために、第１条件を１つ１つ入力するという煩雑な操作を行う必要がない。また、画像データに係る画像を形成したときの画像形成条件を、覚えておくことなく、再度の画像形成に使用することができる。
【００１４】
画像形成装置は、ネットワークを介してサーバに接続されており、画像データ及び第１条件は、サーバが備える記憶部に記憶されており、制御部は、更に、画像データ及び第１条件を、サーバが備える記憶部から読み込むサーバデータ読込処理を備えていてもよい。
【００１５】
この構成によれば、クラウドサーバなどネットワーク上のサーバの記憶部に画像データ及び第１条件を記憶させることができる。そして、画像データ及び第１条件がサーバから該画像形成装置に読み込まれて、判断処理及び表示処理が実行される。
【００１６】
これにより、サーバに記憶されている画像データについて、第１条件と第２条件とが異なっていても、予期しない画像形成条件で画像形成が行われることを抑制できる。
【００１７】
制御部は、表示処理において、判断処理により、第１条件と第２条件とが同一でないと判断された場合、第１条件と第２条件との不一致項目、並びに、該不一致項目において第１条件に設定されている条件及び第２条件に設定されている条件を表示部に表示してもよい。
【００１８】
この構成によれば、第１条件と第２条件とが同一でない場合、第１条件と第２条件との不一致項目について、第１条件に設定されている条件と第２条件に設定されている条件とを容易に比較することができる。これにより、第１条件で画像を形成するか、第２条件で画像を形成するかの選択を容易に行うことができる。
【００１９】
更に、操作部を備え、制御部は、更に、操作部を介して、第１条件及び第２条件のいずれを用いて、画像データに係る画像を画像形成部に形成させるかの選択を受け付ける条件選択受付処理を有し、印刷指示受付処理により、印刷指示が受け付けられ、かつ、条件選択受付処理により、第１条件を用いて、画像データに係る画像を画像形成部に形成させる選択が受け付けられた場合、第１条件を用いて、画像データに係る画像を画像形成部に形成させ、印刷指示受付処理により、印刷指示が受け付けられ、かつ、条件選択受付処理により、第２条件を用いて、画像データに係る画像を画像形成部に形成させる選択が受け付けられた場合、第２条件を用いて、画像データに係る画像を画像形成部に形成させてもよい。
【００２０】
この構成によれば、第１条件と第２条件とが同一でない場合、第１条件及び第２条件のいずれか一方を選択して画像を形成することができる。
【００２１】
そのため、所望の画像形成条件で画像を形成できる。
【００２２】
制御部は、更に、第１条件を、第２条件として、記憶部に記憶させる記憶処理と、記憶処理を実行するか否かの選択を受け付ける選択処理とを有し、第１条件を用いて画像データに係る画像を画像形成部に形成させる場合に、選択処理により、記憶処理を実行する選択が受け付けられたときは、記憶処理を実行し、第１条件を用いて画像データに係る画像を画像形成部に形成させる場合に、選択処理により、記憶処理を実行しない選択が受け付けられたときは、記憶処理を実行しなくてもよい。
【００２３】
この構成によれば、第１条件を用いて画像を形成する場合、第１条件を第２条件として記憶させるか否を使用者が選択できる。そのため、第１条件を第２条件として記憶させたい場合に、画像形成装置の操作部を用いて、画像形成条件を入力する煩雑な操作を行うことを抑制できる。また、第１条件を第２条件として記憶させたくない場合に、第１条件が第２条件として記憶されることを抑制できる。
【００２４】
制御部は、更に、画像データに係る画像が画像形成部によって形成された場合、その日時の情報を最終印刷日時として記憶部又は外部の記憶部に記憶させる日時記憶処理と、判断処理により、第１条件と第２条件とが同一でないと判断された場合、記憶部又は外部の記憶部に記憶されている最終印刷日時を、表示部に表示させる日時表示処理とを有していてもよい。
【００２５】
記憶部又は外部の記憶部に記憶されている第１条件が用いられて画像が形成されてから長時間が経過している場合、第１条件の内容が不適当になっている可能性がある。そのため、表示部に表示された日時を使用者が見ることにより、不適当な第１条件を用いて画像を形成することを回避することができる。
【００２６】
記憶部又は外部の記憶部には、画像データに対する１つ以上の第１条件が記憶されていてもよい。
【００２７】
この構成によれば、１つの画像データに対し、１つ以上の第１条件を記憶することが可能である。そのため、１つの画像データに対し、異なる第１条件を同一の使用者が設定することや、複数の使用者がそれぞれ独自の画像形成条件を第１条件として設定することができる。
【００２８】
したがって、同一の使用者が複数の第１条件を記憶させておいて、画像を形成するときの状況に応じて異なる第１条件を用いて画像を形成させることができる。また、ある使用者が第１条件を記憶させた画像データに対し、他の使用者が異なる第１条件で画像を形成した場合であっても、これに影響されることなく、使用者が記憶させた第１条件で画像を形成することができる。
【００２９】
制御部は、更に、判断処理における第１条件と第２条件との比較の結果、第２条件の１つ以上の項目が、第１条件において設定されていないと判断された場合、操作部により、該項目に対する画像形成条件の入力を受け付ける項目設定受付処理を有していてもよい。
【００３０】
この構成によれば、第２条件の１つ以上の項目が第１条件において設定されていない場合、第１条件において設定されていない項目の画像形成条件を設定して、画像を形成することができる。
【００３１】
制御部は、更に、判断処理における第１条件と第２条件との比較の結果、第１条件の１つ以上の項目が第２条件で設定されていないと判断された場合に、該項目が第２条件で設定可能であるか否かを判断し、設定不可能である場合、画像形成部による画像形成に該項目の画像形成条件が適用されない旨を、表示部に表示させ、操作部により、該画像形成を実行するか否かの選択を受け付ける実行選択受付処理を有していてもよい。
【００３２】
この構成によれば、実行しようとしている画像の形成において、第１条件の項目のうち、該画像形成装置での印刷に適用されない項目があることを、使用者が認識することができる。また、その場合に、画像の形成を行わない選択をすることができる。
【発明の効果】
【００３３】
本発明によれば、予期しない画像形成条件で画像形成が行われることを抑制できる。
【図面の簡単な説明】
【００３４】
【図１】本発明の一実施形態に係る画像形成システムを示す概念図である。
【図２】画像形成装置の主要構成を示すブロック図である。
【図３Ａ】印刷設定処理の流れを示すフローチャート（その１）である。
【図３Ｂ】印刷設定処理の流れを示すフローチャート（その２）である。
【図４Ａ】第２実施形態に係る印刷設定処理の流れを示すフローチャート（その１）である。
【図４Ｂ】第２実施形態に係る印刷設定処理の流れを示すフローチャート（その２）である。
【図４Ｃ】第２実施形態に係る印刷設定処理の流れを示すフローチャート（その３）である。
【発明を実施するための形態】
【００３５】
以下では、本発明の実施の形態について、添付図面を参照しつつ詳細に説明する。
【００３６】
＜全体構成＞
【００３７】
図１に示されるように、画像形成装置の一例としてのプリンタ１、ＰＣ（パーソナルコンピュータ）２及びクラウドサーバ３は、ＬＡＮ（Local Area Network）４などのネットワークを介して相互に通信可能に接続されている。
【００３８】
クラウドサーバ３は、記憶部の一例としてのＨＤＤ５を備えている。
【００３９】
ＨＤＤ５は、画像データを含むファイルを記憶する。
【００４０】
プリンタ１は、図２に示されるように、画像形成部１０、表示部２０、操作部３０及びネットワークインターフェース（Ｉ／Ｆ）４０を備えている。
【００４１】
画像形成部１０は、画像データに基づく印刷（カラー印刷またはモノクロ印刷）を実行し、シートに画像を形成する。画像形成の方式は、電子写真方式であってもよいし、インクジェット方式であってもよい。
【００４２】
表示部２０は、例えば、液晶表示器からなる。表示部２０には、各種の設定画面や装置の動作状態など、各種の情報が表示される。
【００４３】
操作部３０は、スタートキー、テンキー及びカーソルキーなどの複数の操作ボタンからなる。使用者が操作部３０を操作することにより、各種の指示を入力することが可能である。
【００４４】
ネットワークインターフェース４０は、ＬＡＮに接続されているＰＣ２やクラウドサーバ３などとの通信のためのインターフェースである。通信の方式は、無線通信方式であってもよいし、有線通信方式であってもよい。
【００４５】
プリンタ１は、制御部の一例としてのＡＳＩＣ５０と、ＲＯＭ５１と、ＲＡＭ５２と、記憶部の一例としてのＨＤＤ（Hard Disk Drive）５３を備えている。
【００４６】
ＡＳＩＣ５０は、ＣＰＵ５４を内蔵している。ＡＳＩＣ５０には、ＰＣ２やクラウドサーバ３との間で送受信される画像データがネットワークインターフェース４０を介して入出力される。ＣＰＵ５４は、ＡＳＩＣ５０に入力される情報に基づいて、各種の処理のためのプログラムを実行することにより、画像形成部１０を制御し、ネットワークインターフェース４０を介した通信を制御する。
【００４７】
ＲＯＭ５１には、ＣＰＵ５４によって実行されるプログラム及び各種のデータなどが記憶されている。
【００４８】
ＲＡＭ５２は、ＣＰＵ５４がプログラムを実行する際のワークエリアとして使用される。
【００４９】
ＨＤＤ５３は、画像形成部１０により画像が形成される画像データを記憶する。
【００５０】
＜印刷設定処理＞
【００５１】
プリンタ１とＬＡＮを介して接続されているＰＣ２からプリンタ１に、例えば、セキュア印刷により画像データ及び印刷指示を含むジョブが送信され、プリンタ１のＨＤＤ５３に保存ジョブが保存されているものとする。保存ジョブは、画像データ及び印刷設定を含む。
【００５２】
プリンタ１の電源が投入されている間、ＡＳＩＣ５０のＣＰＵ５４は、図３Ａ及び図３Ｂに示される印刷設定処理を繰り返し実行する。
【００５３】
印刷設定処理では、ＣＰＵ５４は、ＨＤＤ５３に保存されている保存ジョブについて、使用者により操作部３０を用いて入力された印刷指示を受け付けるまで（Ｓ１：ＮＯ）、印刷指示を受け付けたか否かを判断する（Ｓ１）。
【００５４】
印刷指示を受け付けた場合（Ｓ１：ＹＥＳ）、ＣＰＵ５４は、保存ジョブに対応付けられた印刷設定がＨＤＤ５３に保存されているか否かを判断する（Ｓ２）。
【００５５】
保存ジョブに対応付けられた印刷設定がＨＤＤ５３に保存されていない場合（Ｓ２：ＮＯ）、ＣＰＵ５４は、プリンタ１の印刷設定としてＨＤＤ５３に保存されている印刷設定で、印刷対象の保存ジョブの印刷を画像形成部１０に行わせる（Ｓ３）。
【００５６】
そして、ＣＰＵ５４は、ＨＤＤ５３に保存されているプリンタ１の印刷設定を、印刷した保存ジョブに対応付けてＨＤＤ５３に保存する（Ｓ４）。
【００５７】
その後、ＣＰＵ５４は、印刷時の日時を最終印刷日時として、印刷した保存ジョブに対応付けてＨＤＤ５３に保存して（Ｓ５）、印刷設定処理を終了する。
【００５８】
一方、保存ジョブに対応付けられた印刷設定がＨＤＤ５３に保存されている場合（Ｓ２：ＹＥＳ）、ＣＰＵ５４は、印刷対象の保存ジョブに対応付けて複数の印刷設定がＨＤＤ５３に保存されているか否かを判断する（Ｓ６）。
【００５９】
印刷対象の保存ジョブに対応付けて保存されている印刷設定が１つの場合（Ｓ６：ＮＯ）、ＣＰＵ５４は、その印刷設定とプリンタ１の印刷設定としてＨＤＤ５３に保存されている印刷設定とを比較する（Ｓ７）。
【００６０】
そして、ＣＰＵ５４は、２つの印刷設定が一致するか否かを判断する（Ｓ８）。
【００６１】
一方、印刷対象の保存ジョブに対応付けて保存されている印刷設定が複数の場合（Ｓ６：ＹＥＳ）、ＣＰＵ５４は、印刷対象の保存ジョブに対応付けて保存されている複数の印刷設定のうち１つを選択するための選択画面を表示部２０に表示させる（Ｓ９）。
【００６２】
そして、複数の印刷設定のうちの１つを、操作部３０を用いて選択する入力を受け付ける（Ｓ１０）。
【００６３】
次に、ＣＰＵ５４は、選択された印刷設定とプリンタ１の印刷設定としてＨＤＤ５３に保存されている印刷設定とを比較する（Ｓ１１）。
【００６４】
そして、ＣＰＵ５４は、２つの印刷設定が一致するか否かを判断する（Ｓ８）。
【００６５】
比較した２つの印刷設定が一致した場合（Ｓ８：ＹＥＳ）、ＣＰＵ５４は、プリンタ１の印刷設定としてＨＤＤ５３に保存されている印刷設定で、印刷対象の保存ジョブの印刷を画像形成部１０に行わせる（Ｓ３）。
【００６６】
そして、ＣＰＵ５４は、印刷した保存ジョブに対応付けてＨＤＤ５３に保存されている印刷設定を、ＨＤＤ５３に保存されているプリンタ１の印刷設定で更新する（Ｓ４）。
【００６７】
その後、ＣＰＵ５４は、印刷した保存ジョブに対応付けてＨＤＤ５３に保存されている最終印刷日時を、印刷時の日時で更新して（Ｓ５）、印刷設定処理を終了する。
【００６８】
一方、比較した２つの印刷設定が一致しなかった場合（Ｓ８：ＮＯ）、印刷対象の保存ジョブに対応付けてＨＤＤ５３に保存されている最終印刷日時、及び、比較した２つの印刷設定における不一致項目の設定内容を表示部２０に表示させると共に、「保存ジョブの印刷設定を使用して印刷」、「プリンタの印刷設定を使用して印刷」又は「保存ジョブの印刷設定をプリンタに設定して、プリンタの印刷設定を使用して印刷」から１つを選択させる選択画面を表示部２０に表示させ（Ｓ１２）、選択の入力を操作部３０から受け付ける。
【００６９】
そして、ＣＰＵ５４は、「保存ジョブの印刷設定をプリンタに設定して、プリンタの印刷設定を使用して印刷」の選択を受け付けたか否かを判断する（Ｓ１３）。
【００７０】
「保存ジョブの印刷設定をプリンタに設定して、プリンタの印刷設定を使用して印刷」の選択を受け付けた場合（Ｓ１３：ＹＥＳ）、ＣＰＵ５４は、ＨＤＤ５３に保存されているプリンタ１の印刷設定を、印刷対象の保存ジョブに対応付けてＨＤＤ５３に保存されている印刷設定で更新する（Ｓ１４）。
【００７１】
そして、ＣＰＵ５４は、プリンタ１の印刷設定としてＨＤＤ５３に保存されている印刷設定で、印刷対象の保存ジョブの印刷を画像形成部１０に行わせる（Ｓ３）。
【００７２】
そして、ＣＰＵ５４は、印刷した保存ジョブに対応付けてＨＤＤ５３に保存されている印刷設定を、ＨＤＤ５３に保存されているプリンタ１の印刷設定で更新する（Ｓ４）。
【００７３】
その後、ＣＰＵ５４は、印刷した保存ジョブに対応付けてＨＤＤ５３に保存されている最終印刷日時を、印刷時の日時で更新して（Ｓ５）、印刷設定処理を終了する。
【００７４】
「保存ジョブの印刷設定をプリンタに設定して、プリンタの印刷設定を使用して印刷」の選択を受け付けていない場合（Ｓ１３：ＮＯ）、ＣＰＵ５４は、「保存ジョブの印刷設定を使用して印刷」の選択を受け付けたか否かを判断する（Ｓ１５）。
【００７５】
「保存ジョブの印刷設定を使用して印刷」の選択を受け付けていない場合（Ｓ１５：ＮＯ）、すなわち、「プリンタの印刷設定を使用して印刷」の選択を受け付けた場合は、ＣＰＵ５４は、プリンタ１の印刷設定としてＨＤＤ５３に保存されている印刷設定で、印刷対象の保存ジョブの印刷を画像形成部１０に行わせる（Ｓ３）。
【００７６】
そして、ＣＰＵ５４は、印刷した保存ジョブに対応付けてＨＤＤ５３に保存されている印刷設定を、ＨＤＤ５３に保存されているプリンタ１の印刷設定で更新する（Ｓ４）。
【００７７】
その後、ＣＰＵ５４は、印刷した保存ジョブに対応付けてＨＤＤ５３に保存されている最終印刷日時を、印刷時の日時で更新して（Ｓ５）、印刷設定処理を終了する。
【００７８】
「保存ジョブの印刷設定を使用して印刷」の選択を受け付けた場合（Ｓ１５：ＹＥＳ）、ＣＰＵ５４は、印刷対象の保存ジョブに対応付けてＨＤＤ５３に保存されている印刷設定で、印刷対象の保存ジョブの印刷を画像形成部１０に行わせる（Ｓ１６）。
【００７９】
そして、ＣＰＵ５４は、印刷した保存ジョブに対応付けてＨＤＤ５３に保存されている最終印刷日時を、印刷時の日時で更新して（Ｓ５）、印刷設定処理を終了する。
【００８０】
＜作用効果＞
【００８１】
以上のように、印刷指示の受付前に保存ジョブを画像形成部１０によって印刷した際の印刷設定（第１条件）がＨＤＤ５３に保存されているかどうかが確認される。そして、印刷指示の受付前に保存ジョブを印刷した際の印刷設定（保存ジョブの印刷設定）がＨＤＤ５３に保存されている場合、保存ジョブの印刷設定と印刷指示の受付時にプリンタ１の設定としてＨＤＤ５３に保存されているプリンタ１の印刷設定（第２条件）とが同一でないときは、保存ジョブの印刷設定とプリンタ１の印刷設定とが異なる旨が表示部２０に表示される。
【００８２】
その結果、使用者は、印刷に使用される印刷設定を認識することができるため、予期しない印刷設定で印刷が行われることを抑制できる。
【００８３】
ＣＰＵ５４は、保存ジョブの印刷設定がＨＤＤ５３に保存されていないことが確認された場合であって、保存ジョブが画像形成部１０によって印刷される場合、この印刷で使用されるプリンタ１の印刷設定を保存ジョブの印刷設定としてＨＤＤ５３に保存させる。
【００８４】
印刷設定がまだ保存されていない保存ジョブを印刷する場合、その保存ジョブが印刷されるときのプリンタ１の印刷設定がその保存ジョブの印刷設定として、ＨＤＤ５３に保存される。
【００８５】
そのため、その保存ジョブのその後の印刷においては、保存ジョブの印刷設定がＨＤＤ５３に保存されている。
【００８６】
その結果、保存ジョブの印刷設定を保存させるために、印刷設定を１つ１つ入力するという煩雑な操作を行う必要がない。また、保存ジョブを印刷したときの印刷設定を、覚えておくことなく、再度の印刷に使用することができる。
【００８７】
ＣＰＵ５４は、保存ジョブの印刷設定とプリンタ１の印刷設定とが同一でないと判断された場合、保存ジョブの印刷設定とプリンタ１の印刷設定との不一致項目、並びに、該不一致項目において保存ジョブの印刷設定内容及びプリンタ１の印刷設定内容を表示部２０に表示する。
【００８８】
これにより、保存ジョブの印刷設定とプリンタ１の印刷設定とが同一でない場合、保存ジョブの印刷設定とプリンタ１の印刷設定との不一致項目について、保存ジョブの印刷設定内容とプリンタ１の印刷設定内容とを容易に比較することができる。これにより、保存ジョブの印刷設定で印刷するか、プリンタ１の印刷設定で印刷するかの選択を容易に行うことができる。
【００８９】
プリンタ１は、操作部３０を備えている。ＣＰＵ５４は、操作部３０を介して、保存ジョブの印刷設定及びプリンタ１の印刷設定のいずれを用いて、保存ジョブを画像形成部１０に印刷させるかの選択を受け付ける。印刷指示が受け付けられ、かつ、保存ジョブの印刷設定を用いて、保存ジョブを画像形成部１０に印刷させる選択が受け付けられた場合、保存ジョブの印刷設定を用いて、保存ジョブを画像形成部１０に印刷させる。印刷指示が受け付けられ、かつ、プリンタ１の印刷設定を用いて、保存ジョブを画像形成部１０に印刷させる選択が受け付けられた場合、プリンタ１の印刷設定を用いて、保存ジョブを画像形成部１０に印刷させる。
【００９０】
これにより、保存ジョブの印刷設定とプリンタ１の印刷設定とが同一でない場合、保存ジョブの印刷設定及びプリンタ１の印刷設定のいずれか一方を選択して印刷することができる。そのため、所望の印刷設定で画像を印刷できる。
【００９１】
ＣＰＵ５４は、保存ジョブの印刷設定を用いて保存ジョブを画像形成部１０に印刷させる場合に、保存ジョブの印刷設定を、プリンタ１の印刷設定として、ＨＤＤ５３に保存させる選択が受け付けられたときは、保存ジョブの印刷設定を、プリンタ１の印刷設定として、ＨＤＤ５３に保存させる。保存ジョブの印刷設定を用いて保存ジョブを画像形成部１０に印刷させる場合に、保存ジョブの印刷設定を、プリンタ１の印刷設定として、ＨＤＤ５３に保存させない選択が受け付けられたときは、保存ジョブの印刷設定を、プリンタ１の印刷設定として、ＨＤＤ５３に保存させない。
【００９２】
これにより、保存ジョブの印刷設定を用いて保存ジョブを印刷する場合、保存ジョブの印刷設定をプリンタ１の印刷設定として保存させるか否を使用者が選択できる。そのため、保存ジョブの印刷設定をプリンタ１の印刷設定として保存させたい場合に、プリンタ１の操作部３０を用いて、印刷設定を入力する煩雑な操作を行うことを抑制できる。また、保存ジョブの印刷設定をプリンタ１の印刷設定として保存させたくない場合に、保存ジョブの印刷設定がプリンタ１の印刷設定として保存されることを抑制できる。
【００９３】
ＣＰＵ５４は、保存ジョブが画像形成部１０によって印刷された場合、その日時の情報を最終印刷日時としてＨＤＤ５３に保存させる。そして、保存ジョブの印刷設定とプリンタ１の印刷設定とが同一でないと判断された場合、ＨＤＤ５３に保存されている最終印刷日時を、表示部２０に表示させる。
【００９４】
保存ジョブの印刷設定が用いられて保存ジョブが印刷されてから長時間が経過している場合、保存ジョブの印刷設定の内容が不適当になっている可能性がある。そのため、表示部２０に表示された日時を使用者が見ることにより、不適当な保存ジョブの印刷設定を用いて保存ジョブを印刷することを回避することができる。
【００９５】
ＨＤＤ５３には、１つの保存ジョブに対し、１つ以上の印刷設定を保存することが可能である。そのため、１つの保存ジョブに対し、異なる印刷設定を同一の使用者が設定することや、複数の使用者がそれぞれ独自の印刷設定を設定することができる。
【００９６】
したがって、同一の使用者が複数の印刷設定を保存させておいて、保存ジョブを印刷するときの状況に応じて異なる印刷設定を用いて保存ジョブを印刷することができる。また、ある使用者が印刷設定を保存させた保存ジョブに対し、他の使用者が異なる印刷設定で画像を印刷した場合であっても、これに影響されることなく、使用者が保存させた印刷設定で印刷することができる。
【００９７】
＜第２実施形態＞
【００９８】
図３Ａおよび図３Ｂに示される印刷設定処理に代えて、図４Ａ、図４Ｂ及び図４Ｃに示される印刷設定処理が実行されてもよい。
【００９９】
ＰＣ２及びプリンタ１とＬＡＮを介して接続されているクラウドサーバ３のＨＤＤ５に、ＰＣ２から印刷ファイルが保存されている。
【０１００】
プリンタ１は、電源が投入されている間、ＡＳＩＣ５０のＣＰＵ５４は、図４Ａ、図４Ｂ及び図４Ｃに示される印刷設定処理を繰り返し実行する。
【０１０１】
印刷設定処理では、ＣＰＵ５４は、操作部３０から受け付けたユーザＩＤ及びパスワードを用いてクラウドサーバ３へのログインを試み、ログインが成功するまで（Ｓ２１：ＮＯ）、ログインに成功したか否かを判断する（Ｓ２１）。
【０１０２】
クラウドサーバ３へのログインに成功した場合（Ｓ２１：ＹＥＳ）、ＣＰＵ５４は、クラウドサーバ３のＨＤＤ５に保存されているファイルの一覧を、クラウドサーバ３から読み込んで、ＨＤＤ５３に保存する（Ｓ２２）。また、クラウドサーバ３に印刷設定が保存されている場合は、その印刷設定を、クラウドサーバ３から読み込んで、ＨＤＤ５３に保存する（Ｓ２２）。
【０１０３】
その後、ＣＰＵ５４は、読み込んだファイルの一覧を表示部２０に表示させる（Ｓ２３）。
【０１０４】
そして、ＣＰＵ５４は、表示したファイルの一覧からのファイルの選択を、操作部３０から受け付ける（Ｓ２４）。
【０１０５】
次に、ＣＰＵ５４は、選択されたファイルに対する印刷指示が入力されるまで（Ｓ２５：ＮＯ）、印刷指示の入力を操作部３０から受け付ける（Ｓ２５）。
【０１０６】
印刷指示の入力が受け付けられた場合（Ｓ２５：ＹＥＳ）、ＣＰＵ５４は、クラウドサーバ３に印刷設定が保存されていたか否かを判断する（Ｓ２６）。
【０１０７】
クラウドサーバ３に印刷設定が保存されていなかった場合（Ｓ２６：ＮＯ）、ＣＰＵ５４は、プリンタ１の印刷設定としてＨＤＤ５３に保存されている印刷設定で、印刷対象のファイルの印刷を画像形成部１０に行わせる（Ｓ２７）。
【０１０８】
そして、ＣＰＵ５４は、ＨＤＤ５３に保存されているプリンタ１の印刷設定を、クラウドサーバ３に保存して（Ｓ２８）、印刷設定処理を終了する。
【０１０９】
一方、クラウドサーバ３に印刷設定が保存されていた場合（Ｓ２６：ＹＥＳ）。ＣＰＵ５４は、クラウドサーバ３に保存されていた印刷設定とプリンタ１の印刷設定としてＨＤＤ５３に保存されている印刷設定とを比較する（Ｓ２９）。
【０１１０】
そして、ＣＰＵ５４は、２つの印刷設定が一致するか否かを判断する（Ｓ３０）。
【０１１１】
２つの印刷設定が一致した場合（Ｓ３０：ＹＥＳ）、ＣＰＵ５４は、プリンタ１の印刷設定としてＨＤＤ５３に保存されている印刷設定で、印刷対象のファイルの印刷を画像形成部１０に行わせる（Ｓ２７）。
【０１１２】
そして、ＣＰＵ５４は、ＨＤＤ５３に保存されているプリンタ１の印刷設定を、クラウドサーバ３に保存して（Ｓ２８）、印刷設定処理を終了する。
【０１１３】
一方、２つの印刷設定が一致しなかった場合（Ｓ３０：ＮＯ）、ＣＰＵ５４は、プリンタ１の印刷設定としてＨＤＤ５３に保存されている印刷設定の項目に、クラウドサーバ３の印刷設定に保存されていない項目があるか否かを判断する（Ｓ３１）。
【０１１４】
クラウドサーバ３の印刷設定に保存されていない項目がない場合（Ｓ３１：ＮＯ）、ＣＰＵ５４は、クラウドサーバ３に保存されている印刷設定の項目に、プリンタ１で設定不可能な項目があるか否かを判断する（Ｓ３２）。
【０１１５】
クラウドサーバ３の印刷設定に保存されていない項目がある場合（Ｓ３１：ＹＥＳ）、ＣＰＵ５４は、クラウドサーバ３の印刷設定に保存されていない項目の設定画面を、表示部２０に表示させる（Ｓ３３）。
【０１１６】
そして、クラウドサーバ３の印刷設定に保存されていない項目に対する設定を、操作部３０から受け付ける（Ｓ３４）。
【０１１７】
その後、ＣＰＵ５４は、クラウドサーバ３に保存されている印刷設定の項目に、プリンタ１で設定不可能な項目があるか否かを判断する（Ｓ３２）。
【０１１８】
プリンタ１で設定不可能な項目がない場合（Ｓ３２：ＮＯ）、ＣＰＵ５４は、比較した２つの印刷設定における不一致項目の設定内容を表示部２０に表示させると共に、「クラウドサーバの印刷設定を使用して印刷」、「プリンタの印刷設定を使用して印刷」又は「クラウドサーバの印刷設定をプリンタに設定して、プリンタの印刷設定を使用して印刷」から１つを選択させる選択画面を表示部２０に表示させ（Ｓ３５）、選択の入力を操作部３０から受け付ける。
【０１１９】
プリンタ１で設定不可能な項目がある場合（Ｓ３２：ＹＥＳ）、ＣＰＵ５４は、プリンタ１で設定不可能な項目の設定内容を表示部２０に表示させると共に、印刷を継続するか取り消すかの選択画面を表示部２０に表示させ（Ｓ３６）、選択の入力を操作部３０から受け付ける。
【０１２０】
そして、ＣＰＵ５４は、印刷を継続するか取り消すかのいずれが選択されたかを判断する（Ｓ３７）。
【０１２１】
印刷を取り消すことが選択された場合（Ｓ３７：ＮＯ）、ＣＰＵ５４は、印刷設定処理を終了する。
【０１２２】
印刷を継続することが選択された場合（Ｓ３７：ＹＥＳ）、ＣＰＵ５４は、比較した２つの印刷設定における不一致項目の設定内容を表示部２０に表示させると共に、「クラウドサーバの印刷設定を使用して印刷」、「プリンタの印刷設定を使用して印刷」又は「クラウドサーバの印刷設定をプリンタに設定して、プリンタの印刷設定を使用して印刷」から１つを選択させる選択画面を表示部２０に表示させ（Ｓ３５）、選択の入力を操作部３０から受け付ける。
【０１２３】
そして、ＣＰＵ５４は、「クラウドサーバの印刷設定をプリンタに設定して、プリンタの印刷設定を使用して印刷」の選択を受け付けたか否かを判断する（Ｓ３８）。
【０１２４】
「クラウドサーバの印刷設定をプリンタに設定して、プリンタの印刷設定を使用して印刷」の選択を受け付けた場合（Ｓ３８：ＹＥＳ）、ＣＰＵ５４は、ＨＤＤ５３に保存されているプリンタ１の印刷設定を、クラウドサーバ３に保存されている印刷設定で更新する（Ｓ３９）。
【０１２５】
そして、ＣＰＵ５４は、プリンタ１の印刷設定としてＨＤＤ５３に保存されている印刷設定で、印刷対象のファイルの印刷を画像形成部１０に行わせる（Ｓ２７）。
【０１２６】
そして、ＣＰＵ５４は、ＨＤＤ５３に保存されているプリンタ１の印刷設定を、クラウドサーバ３に保存して（Ｓ２８）、印刷設定処理を終了する。
【０１２７】
「クラウドサーバの印刷設定をプリンタに設定して、プリンタの印刷設定を使用して印刷」の選択を受け付けていない場合（Ｓ３８：ＮＯ）、ＣＰＵ５４は、「クラウドサーバの印刷設定を使用して印刷」の選択を受け付けたか否かを判断する（Ｓ４０）。
【０１２８】
「クラウドサーバの印刷設定を使用して印刷」の選択を受け付けていない場合（Ｓ４０：ＮＯ）、すなわち、「プリンタの印刷設定を使用して印刷」の選択を受け付けた場合は、ＣＰＵ５４は、プリンタ１の印刷設定としてＨＤＤ５３に保存されている印刷設定で、印刷対象のファイルの印刷を画像形成部１０に行わせる（Ｓ２７）。
【０１２９】
そして、ＣＰＵ５４は、ＨＤＤ５３に保存されているプリンタ１の印刷設定を、クラウドサーバ３に保存して（Ｓ２８）、印刷設定処理を終了する。
【０１３０】
一方、「クラウドサーバの印刷設定を使用して印刷」の選択を受け付けた場合（Ｓ４０：ＹＥＳ）、ＣＰＵ５４は、クラウドサーバ３の印刷設定で、印刷対象のファイルの印刷を画像形成部１０に行わせて（Ｓ４１）、印刷処理を終了する。
【０１３１】
＜作用効果＞
【０１３２】
以上のように、印刷指示の受付前にファイルを画像形成部１０によって印刷した際の印刷設定（第１条件）がクラウドサーバ３のＨＤＤ５に保存されているかどうかが確認される。そして、クラウドサーバ３のＨＤＤ５に印刷設定が保存されている場合、クラウドサーバ３の印刷設定と印刷指示の受付時にプリンタ１の設定としてＨＤＤ５３に保存されているプリンタ１の印刷設定（第２条件）とが同一でないときは、クラウドサーバ３の印刷設定とプリンタ１の印刷設定とが異なる旨が表示部２０に表示される。
【０１３３】
その結果、使用者は、印刷に使用される印刷設定を認識することができるため、予期しない印刷設定で印刷が行われることを抑制できる。
【０１３４】
ＣＰＵ５４は、クラウドサーバ３の印刷設定がＨＤＤ５に保存されていないことが確認された場合であって、クラウドサーバ３に保存されているファイルが画像形成部１０によって印刷される場合、この印刷で使用されるプリンタ１の印刷設定をクラウドサーバ３の印刷設定としてＨＤＤ５に保存させる。
【０１３５】
印刷設定がまだ保存されていないクラウドサーバ３のファイルを印刷する場合、そのファイルが印刷されるときのプリンタ１の印刷設定がそのファイルに係るクラウドサーバ３の印刷設定として、ＨＤＤ５に保存される。
【０１３６】
そのため、そのクラウドサーバ３のファイルのその後の印刷においては、クラウドサーバ３の印刷設定がＨＤＤ５に保存されている。
【０１３７】
その結果、クラウドサーバ３の印刷設定を保存させるために、印刷設定を１つ１つ入力するという煩雑な操作を行う必要がない。また、クラウドサーバ３のファイルを印刷したときの印刷設定を、覚えておくことなく、再度の印刷に使用することができる。
【０１３８】
プリンタ１は、ＬＡＮを介してクラウドサーバ３に接続されている。ファイル及びクラウドサーバ３の印刷設定は、クラウドサーバ３が備えるＨＤＤ５に保存されている。ＣＰＵ５４は、ファイル及びクラウドサーバ３の印刷設定を、ＨＤＤ５から読み込む。
【０１３９】
これにより、クラウドサーバ３のＨＤＤ５にファイル及び印刷設定を保存させることができる。そして、ファイル及びクラウドサーバ３の印刷設定がＨＤＤ５からプリンタ１に読み込まれて、印刷設定の比較及び不一致項目の表示が行われる。
【０１４０】
そのため、クラウドサーバ３に保存されているファイルについて、クラウドサーバ３の印刷設定とプリンタ１の印刷設定とが異なっていても、予期しない印刷設定で印刷が行われることを抑制できる。
【０１４１】
ＣＰＵ５４は、クラウドサーバ３の印刷設定とプリンタ１の印刷設定とが同一でないと判断された場合、クラウドサーバ３の印刷設定とプリンタ１の印刷設定との不一致項目、並びに、該不一致項目においてクラウドサーバ３の印刷設定内容及びプリンタ１の印刷設定内容を表示部２０に表示する。
【０１４２】
これにより、クラウドサーバ３の印刷設定とプリンタ１の印刷設定とが同一でない場合、クラウドサーバ３の印刷設定とプリンタ１の印刷設定との不一致項目について、クラウドサーバ３の印刷設定内容とプリンタ１の印刷設定内容とを容易に比較することができる。これにより、クラウドサーバ３の印刷設定で印刷するか、プリンタ１の印刷設定で印刷するかの選択を容易に行うことができる。
【０１４３】
プリンタ１は、操作部３０を備えている。ＣＰＵ５４は、操作部３０を介して、クラウドサーバ３の印刷設定及びプリンタ１の印刷設定のいずれを用いて、クラウドサーバ３のファイルを画像形成部１０に印刷させるかの選択を受け付ける。印刷指示が受け付けられ、かつ、クラウドサーバ３の印刷設定を用いて、クラウドサーバ３のファイルを画像形成部１０に印刷させる選択が受け付けられた場合、クラウドサーバ３の印刷設定を用いて、クラウドサーバ３のファイルを画像形成部１０に印刷させる。印刷指示が受け付けられ、かつ、プリンタ１の印刷設定を用いて、クラウドサーバ３のファイルを画像形成部１０に印刷させる選択が受け付けられた場合、プリンタ１の印刷設定を用いて、クラウドサーバ３のファイルを画像形成部１０に印刷させる。
【０１４４】
これにより、クラウドサーバ３の印刷設定とプリンタ１の印刷設定とが同一でない場合、クラウドサーバ３の印刷設定及びプリンタ１の印刷設定のいずれか一方を選択して印刷することができる。そのため、所望の印刷設定でクラウドサーバ３のファイルを印刷できる。
【０１４５】
ＣＰＵ５４は、クラウドサーバ３の印刷設定を用いてクラウドサーバ３のファイルを画像形成部１０に印刷させる場合に、クラウドサーバ３の印刷設定を、プリンタ１の印刷設定として、ＨＤＤ５３に保存させる選択が受け付けられたときは、クラウドサーバ３の印刷設定を、プリンタ１の印刷設定として、ＨＤＤ５３に保存させる。クラウドサーバ３の印刷設定を用いてクラウドサーバ３のファイルを画像形成部１０に印刷させる場合に、クラウドサーバ３の印刷設定を、プリンタ１の印刷設定として、ＨＤＤ５３に保存させない選択が受け付けられたときは、クラウドサーバ３の印刷設定を、プリンタ１の印刷設定として、ＨＤＤ５３に保存させない。
【０１４６】
これにより、クラウドサーバ３の印刷設定を用いてファイルを印刷する場合、クラウドサーバ３の印刷設定をプリンタ１の印刷設定として保存させるか否を使用者が選択できる。そのため、クラウドサーバ３の印刷設定をプリンタ１の印刷設定として保存させたい場合に、プリンタ１の操作部３０を用いて、印刷設定を入力する煩雑な操作を行うことを抑制できる。また、クラウドサーバ３の印刷設定をプリンタ１の印刷設定として保存させたくない場合に、クラウドサーバ３の印刷設定がプリンタ１の印刷設定として保存されることを抑制できる。
【０１４７】
ＣＰＵ５４は、クラウドサーバ３の印刷設定とプリンタ１の印刷設定との比較の結果、プリンタ１の印刷設定の１つ以上の項目が、クラウドサーバ３の印刷設定において設定されていないと判断された場合、操作部３０により、その項目に対する印刷設定の入力を受け付ける。
【０１４８】
これにより、プリンタ１の印刷設定の１つ以上の項目がクラウドサーバ３の印刷設定において設定されていない場合、クラウドサーバ３の印刷設定において設定されていない項目の印刷設定を設定して、ファイルを印刷することができる。
【０１４９】
ＣＰＵ５４は、クラウドサーバ３の印刷設定とプリンタ１の印刷設定との比較の結果、クラウドサーバ３の印刷設定の１つ以上の項目がプリンタ１の印刷設定で設定されていないと判断された場合に、その項目がプリンタ１の印刷設定で設定可能であるか否かを判断し、設定不可能である場合、画像形成部１０による印刷にその項目の印刷設定が適用されない旨を、表示部２０に表示させ、操作部３０により、該印刷を実行するか否かの選択を受け付ける。
【０１５０】
これにより、実行しようとしている印刷において、クラウドサーバ３の印刷設定の項目のうち、プリンタ１での印刷に適用されない項目があることを、使用者が認識することができる。また、その場合に、その印刷を行わない選択をすることができる。
【０１５１】
＜変形例＞
【０１５２】
以上、本発明の実施形態について説明したが、本発明は、他の形態で実施することもできる。
【０１５３】
たとえば、前述の第１実施形態では、プリンタ１のＨＤＤ５３に保存ジョブが保存されていた。しかしながら、保存ジョブは、ＰＣ２が備える非図示のＨＤＤなど、プリンタ１にとって外部の記憶部に保存されていてもよい。
【０１５４】
また、プリンタ１に代えて、ＭＦＰ（Multi-Function Peripheral）を用いてもよい。
【０１５５】
その他、前述の構成には、特許請求の範囲に記載された事項の範囲で種々の設計変更を施すことが可能である。
【符号の説明】
【０１５６】
１    プリンタ
３    クラウドサーバ
４    ＬＡＮ
５    ＨＤＤ
１０  画像形成部
２０  表示部
３０  操作部
５０  ＡＳＩＣ
５１  ＣＰＵ
５３  ＨＤＤ
【図１】
0006446965.tif 000002
【図２】
0006446965.tif 000003
【図３Ａ】
0006446965.tif 000004
【図３Ｂ】
0006446965.tif 000005
【図４Ａ】
0006446965.tif 000006
【図４Ｂ】
0006446965.tif 000007
【図４Ｃ】
0006446965.tif 000008